(57)【要約】      （修正有）【課題】バイオマス燃料をガス化して得られる、ガス化ガス中のタール主成分であるナフタレン類を効率よく除去することができるタール除去方法を提供する。【解決手段】ガス化ガス中のタール除去方法であって、ガス化ガスをタール捕集手段１８１に接触し、ガス化ガス中のタールをタール捕集手段１８１に付着し、超音波印加させた液体中において、前記タール捕集手段１８１に付着したタールを当該液体中に分散して、タール捕集手段１８１から除去することを特徴とする。【選択図】図２
2009185154.tif 000002
【特許請求の範囲】
【請求項１】
ガス化ガス中のタール除去方法であって、
ガス化ガスをタール捕集手段に接触し、ガス化ガス中のタールをタール捕集手段に付着し、
超音波印加させた液体中において、前記タール捕集手段に付着したタールを当該液体中に分散して、タール捕集手段から除去する、ことを特徴とするタール除去方法。
【請求項２】
前記ガス化ガスを冷却しながら、タール捕集手段に接触する、ことを特徴とする請求項１に記載のタール除去方法。
【請求項３】
タール捕集手段に付着したタール量を測定し、
当該測定されたタール量が所定値以上の場合に、タールの除去を開始する、ことを特徴とする請求項１または２に記載のタール除去方法。
【請求項４】
前記タールが分散された液体からタールを凝集沈殿し、当該タールを回収し、
前記タールが回収された液体を、前記超音波印加させる液体に利用する、ことを特徴とする請求項１から３のいずれか１項に記載のタール除去方法。
【請求項５】
ガス化ガス中のタール除去装置であって、
ガス化ガスと接触してガス化ガス中のタールを付着し捕集するタール捕集手段と、
前記タール捕集手段に付着したタールを、液体中で超音波印加するタール分散手段と、を有することを特徴とするタール除去装置。
【請求項６】
前記タール捕集手段によるタール捕集の場合に、ガス化ガスを冷却する冷却手段を、さらに有することを特徴とする請求項１に記載のタール除去装置。
【請求項７】
タール捕集手段に付着したタール量を測定する測定手段と、
前記測定手段で測定されたタール量が所定値以上の場合に、タールの除去を開始するように制御する制御手段と、をさらに有することを特徴とする請求項５または６に記載のタール除去装置。
【請求項８】
前記タール分散手段でタールが分散された液体からタールを凝集沈殿し、当該タールを回収するタール回収手段と、
前記タール回収手段でタールが回収された後の液体を、前記タール分散手段の液体に帰還する液体帰還手段を、さらに有することを特徴とする請求項５から７のいずれか１項に記載のタール除去装置。
【発明の詳細な説明】
【技術分野】
【０００１】
本発明は、バイオマス燃料をガス化して得られるガス化ガス中から、タールを除去してガス化ガスを改質するタール除去方法およびタール除去装置に関する。
【背景技術】
【０００２】
木屑や下水汚泥のような有機物を含む廃棄物（有機系廃棄物）やバイオマス燃料から高効率にエネルギー転換する技術として、ガス化技術が知られている。ガス化することによって発生したガスを、ガスエンジンやガスタービンなどの内燃機関にて燃焼させることにより発電することが可能であり、その発電効率は燃料を直接燃焼して蒸気を発生させ、蒸気タービンにより発電するボイラ発電システムより高効率という特長を有する（特許文献１）。
【０００３】
また、バイオマスガス化発電設備の構成として、バイオマスを部分燃焼ガス化炉でガス化し、その部分燃焼ガス化ガスを集塵・減温処理して発電設備（ガスエンジン等）でエネルギー回収する構成が知られている（特許文献２、第２実施形態および図２の構成）。この特許文献２の第２実施形態の構成の場合、高温集塵設備の後段にタール分解設備を配置し、このタール分解設備によって、部分燃焼ガス化ガス中に含まれるタール成分を除去している。タール分解設備は、タール分を分解する高温触媒（例えば、Ｎｉ系触媒）を有して構成され、或いは、活性炭を有して構成されている。触媒によるタール分解は、例えば、タール成分をＣＯとＨ２ガスに改質する方法である。また、この第２実施形態では、タール分解設備の後段に、ボイラ（熱回収設備）を介して低温ガス洗浄設備（バグフィルタ、電気集塵器、サイクロン等）が配置され、ガス化ガスが除塵される。しかしながら、この構成の場合、低温ガス洗浄設備で除塵されたガス化ガスが、低温ガス洗浄設備を通過したことにより、約２００℃未満に低温化して、ガス化ガス中のタールが析出し、低温ガス洗浄設備より後段のガス流路配管、各種センサー等に付着し、閉塞や故障等の問題が生じる。また、低温ガス洗浄設備で除塵されたガス化ガスは、例えば発電設備に提供され燃料として利用されるが、ガス化ガス中のタール分が発電設備内部に付着し、発電効率を低下させ、故障の原因に繋がるため、定期的なメンテナンスが必要となり改善が望まれる。
【０００４】
また、上記構成において、低温ガス洗浄設備と発電設備の間に、減温塔と湿式のガス精製設備を配置する構成が知られている。減温塔によりガス化ガス中のタールの水溶性成分（例えば、フェノール等）は廃水に移行する。湿式のガス精製設備により、ガス化ガス中のアンモニアや硫化水素等を除去する。しかしながら、この構成においても、常温付近で析出したタール主成分であるナフタレン類の除去が完全には行なわれないため、ガス流路中のガスダクトなどに付着し、差圧上昇を招いたり、後段の発電設備に対する悪影響があり改善が望まれる。
【０００５】
【特許文献１】特開２００３−６５０８４号公報
【特許文献２】特開２００７−９０４５号公報（６頁、第２実施形態、図２）
【発明の開示】
【発明が解決しようとする課題】
【０００６】
そこで、上記従来技術の有する問題点に鑑みて、本発明の目的は、ガス化ガス中のタール主成分であるナフタレン類を効率よく除去することができるタール除去方法およびタール除去装置を提供することにある。
【課題を解決するための手段】
【０００７】
上記課題は、各請求項記載の発明により達成される。すなわち、本発明に係るタール除去方法は、
ガス化ガス中のタール除去方法であって、
ガス化ガスをタール捕集手段に接触し、ガス化ガス中のタールをタール捕集手段に付着し、
超音波印加させた液体中において、前記タール捕集手段に付着したタールを当該液体中に分散して、タール捕集手段から除去する、ことを特徴とする。
【０００８】
この構成によれば、タール捕集手段によってガス化ガス中のタールを付着して捕集し、次いで、タール捕集手段に付着したタールを液体中で超音波印加させて、タール捕集手段に付着しているタールを液体中に分散させ、タール捕集手段からタールを除去することができる。ガス化ガスは、常温付近（例えば、１０〜２８℃）まで低温化しており、ナフタレン類が主成分のタールが析出している状態である。タール捕集手段の形状は特に制限されないが、筒状、多角中状が好ましく、一部が液体に浸漬するように配置され、回転可能に構成される。ガス化ガスをタール捕集手段に接触させると、タール捕集手段にタールが付着する。付着したタールをタール捕集手段から除去する場合、液体をタール分散手段の供給し、タール捕集手段をその液体中に浸漬する。次いで、液体に超音波を印加させ、タールを除去する。液体は、特に制限されないが、水またはアルコール濃度５０％以下のアルコール水溶液が好ましい。液体に印加される超音波は、液体の収納部の底壁外側に設置された超音波振動発生装置により生成される。また、超音波発生装置は、収納部に沈めた構成も例示できる。超音波の周波数は、ナフタレン類を液体に分散させ、スラリー状にさせるために、２０〜５０ｋＨｚの範囲が好ましい。
【０００９】
以上によって、低温のガス化ガス中に析出したタール（ナフタレン類が主成分）を効率よく除去することができる。このタール除去方法によりタールが除去されたガス化ガスは、例えばガスエンジン、ガスタービン等の発電設備に燃料として提供される。
【００１０】
また、上記発明において、ガス化ガスを冷却しながら、タール捕集手段に接触する、ことを特徴とする。
【００１１】
この構成によれば、常温のガス化ガスに対し、さらに冷却させることで、ガス化ガスの水分を低減させることができるため、ガスエンジン等の発電設備の燃料として利用する際に、燃焼効率を大幅に高めることができ、発電効率を向上することができる。冷却手段として、例えば、ガス化ガスの流通路に、冷却水配管を設置して、この冷却水配管にガス化ガスを接触させることで、ガス化ガスを冷却させる、間接冷却が例示される。
【００１２】
また、上記発明において、タール捕集手段に付着したタール量を測定し、
当該測定されたタール量が所定値以上の場合に、タールの除去を開始する、ことを特徴とする。
【００１３】
この構成によれば、タール捕集手段に付着したタール量を測定して、付着したタール量の測定値が所定値以上の場合に、タール捕集手段に付着したタールの除去を開始する。例えば、タール分散手段の収納部に液体を供給し、筒状のタール捕集手段のタール付着部分を液体中に浸漬させ、その液体に超音波を印加させ、タールを除去することができる。付着したタール量測定方法としては、タール捕集手段のガス化ガス流通路の入口と出口とのそれぞれに設けた圧力計の圧力値の差圧を算出する構成が例示される。差圧が大きいほど、タールが付着しているため、差圧が所定値以上の場合に、タール捕集手段に付着したタールを除去する必要がある。
【００１４】
また、上記の本発明において、
前記タールが分散された液体からタールを凝集沈殿し、当該タールを回収し、
前記タールが回収された液体を、前記超音波印加させる液体に利用する、ことを特徴とする。
【００１５】
この構成によれば、タールが分散された液体からタールを凝集沈殿し、当該タールを回収することができる。さらに、タールが回収された液体を、超音波印加させる液体に利用することができるため、液体の再利用が可能となる。
【００１６】
また、他の本発明に係るタール除去装置は、
ガス化ガス中のタール除去装置であって、
ガス化ガスと接触してガス化ガス中のタールを付着し捕集するタール捕集手段と、
前記タール捕集手段に付着したタールを、液体中で超音波印加するタール分散手段と、を有することを特徴とする。
【００１７】
この構成によれば、タール捕集手段によってガス化ガス中のタールを付着して捕集し、次いで、タール捕集手段に付着したタールを液体中で超音波印加させて、タール捕集手段に付着しているタールを液体中に分散させ、タール捕集手段からタールを除去することができる（タール分散手段の機能）。ガス化ガスは、常温付近（例えば、１０〜２８℃）まで低温化しており、ナフタレン類が主成分のタールが析出している状態である。タール捕集手段の形状は特に制限されないが、筒状、多角中状が好ましく、一部が液体に浸漬するように配置され、回転可能に構成される。ガス化ガスをタール捕集手段に接触させると、タール捕集手段にタールが付着する。付着したタールをタール捕集手段から除去する場合、タール分散手段の収納部に液体を供給し、タール捕集手段をその液体中に浸漬する。次いで、液体に超音波を印加させ、タールを除去する。液体は、特に制限されないが、水またはアルコール濃度５０％以下のアルコール水溶液が好ましい。液体に印加される超音波は、液体の収納部（タール分散手段の一部）の底壁外側に設置された超音波振動発生装置（タール分散手段の一部）により生成される。また、超音波発生装置は、収納部に沈めた構成も例示できる。超音波の周波数は、ナフタレン類を液体に分散させ、スラリー状にさせるために、２０〜５０ｋＨｚの範囲が好ましい。
【００１８】
以上によって、低温のガス化ガス中に析出したタール（ナフタレン類が主成分）を効率よく除去することができる。このタール除去装置によりタールが除去されたガス化ガスは、例えばガスエンジン、ガスタービン等の発電設備に燃料として提供される。
【００１９】
また、上記の本発明において、タール捕集手段によるタール捕集の場合に、ガス化ガスを冷却する冷却手段を、さらに有することを特徴とする。
【００２０】
この構成によれば、常温のガス化ガスに対し、さらに冷却させることで、ガス化ガスの水分を低減させることができるため、ガスエンジン等の発電設備の燃料として利用する際に、燃焼効率を大幅に高めることができ、発電効率を向上することができる。冷却手段として、例えば、ガス化ガスの流通路に、冷却水配管を設置して、この冷却水配管にガス化ガスを接触させることで、ガス化ガスを冷却させる、間接冷却が例示される。
【００２１】
また、上記の本発明において、
タール捕集手段に付着したタール量を測定する測定手段と、
前記測定手段で測定されたタール量が所定値以上の場合に、タールの除去を開始するように制御する制御手段と、をさらに有することを特徴とする。
【００２２】
この構成によれば、タール捕集手段に付着したタール量を測定して（測定手段の機能）、付着したタール量の測定値が所定値以上の場合に、タールの除去を開始することができる（制御手段の機能）。タール測定手段は、タール捕集手段のガス化ガス流通路の入口と出口とのそれぞれに設けた圧力計と、その圧力計で測定された圧力値の差圧を算出する算出部と、その差圧が所定値以上か否かを判定する判定部とで構成される。この所定値は、タール捕集手段やタール分散手段の構成、ガス化ガスの流量、流速等によって設定される。
【００２３】
また、上記の本発明において、
前記タール分散手段でタールが分散された液体からタールを凝集沈殿し、当該タールを回収するタール回収手段と、
前記タール回収手段でタールが回収された後の液体を、前記タール分散手段の液体に帰還する液体帰還手段を、さらに有することを特徴とする。
【００２４】
この構成によれば、タールが分散された液体からタールを凝集沈殿し、当該タールを回収することができる（タール回収手段の機能）。さらに、タールが回収された液体を、超音波印加させる液体に利用することができるため、液体の再利用が可能となる（液体帰還手段の機能）。
【００２５】
なお、本発明において、バイオマスは、例えば、木質系、食品残渣、畜糞等の有機性バイオマスが例示される。
【発明を実施するための最良の形態】
【００２６】
（実施形態１）
（発電システムの構成）
図１を用いてバイオマスガス化ガス発電システムを説明する。本発明に係るタール除去装置は、湿式ガス精製装置とガスエンジンとの間に設置される構成である。また、本発明に係るタール除去方法は、以下で説明するタール除去装置に限定されず、他の装置構成でも適用できる。
【００２７】
バイオマスガス化炉１１は、木屑等のバイオマスを部分燃焼させて、ガス化ガスを生成する。バイオマスガス化炉１１は公知の構成が適用でき、例えば、流動層ガス化炉、循環流動層炉、固定床式、キルン式、噴流層式等のガス化炉が例示される。また、ガス化方式は、空気、酸素、蒸気等による部分燃焼式が好ましい。生成されたガス化ガスの温度は、８００〜９００℃程度の範囲が好ましく、この範囲であれば、発熱量を充分に確保することができる。
【００２８】
高温集塵器１２は、ガス化炉１１で生成されたバイオマスガス化ガスを除塵する。高温集塵器１２は、セラミックフィルタで構成され、高温（８００〜９００℃程度）のガス化ガスであっても除塵機能を発揮できる。除塵された灰は、不図示の排出装置によって排出される。高温集塵器１２によって除塵された後のガス化ガスの温度は、７００〜８５０℃程度に低下される。
【００２９】
タール分解装置１３は、高温集塵器１２を通過したガス化ガス中のタールを高温触媒（例えば、Ｎｉ系触媒）に接触させることにより、タール成分をＣＯとＨ２ガスに改質する。
【００３０】
ボイラ１４は、ガス化ガスの熱を熱回収する熱交換機能を備え、タール分解装置１３からから排出された６００〜８００℃程度の高温のガス化ガスを２００℃程度に冷却する。ここで得られた温水は、不図示の廃熱ボイラ等に供給される。また、ボイラ１４は、気体対水の熱交換機能を備えた、例えば、減温塔、エコノマイザー等で構成することもできる。また、ガス化ガスに直接水を噴射する水噴射機構を配管内部に備えるように構成し、エコノマイザー１４に併置し、両方の機能によってガス化ガスのガス温度を２００℃程度に冷却することができる。ガス化ガスを２００℃程度に冷却することにより、ガス化ガス中に含まれる塩類等の低温析出ダストが発生する。
【００３１】
バグフィルタ１５は、発生した低温析出ダストを除塵する。また、バグフィルタ１５に代替して、乾式の低温集塵装置を用いることができる。
【００３２】
洗浄塔１６は、バグフィルタ１５を通過した１５０℃以下のガス化ガスが通過する。通過する際に、１５０℃以下のガス化ガス中で析出したタールが洗浄塔１６の壁面に付着する。この付着したタールを除去するために、洗浄水を噴射し、壁面からタールを剥離する。噴射される洗浄水として、超音波印加した水を用い、洗浄塔１６の壁面に対し接線方向から超音波印加水を噴射して、洗浄塔１６の壁面に付着したタール分を剥離させることが好ましい。印加する超音波の周波数は１００〜１０００ｋＨｚの範囲が好ましい。
【００３３】
ガス精製装置１７は、湿式のガス精製装置であり、ガス化ガス中に含まれるアンモニアや硫化水素等を除去する。ガス精製装置１７を通過したガス化ガスの温度は、常温（１０〜２８℃程度）にまで減温され、ナフタレン類が主成分であるタールがガス化ガス中に析出する。ここで析出したタールは、後段のタール分解装置１８で除去される。タール分解装置１８の詳細は後述する。
【００３４】
ガスエンジン１９は、タール分解装置１８を通過したガス化ガスを燃料として燃焼させ発電する構成である。また、ガスエンジン１９にガス燃料を供給する燃料供給装置（不図示）がガスエンジン１９に備えられている。ガスエンジン１９は、燃焼部内部の温度を検出し、検出温度が所定温度以下の場合に、燃料供給装置によって所定量のガス燃料を供給する構成である。あるいは、ガスエンジン１９に供給されるガス化ガスの流量を検出し、検出流量が所定値以下の場合に、燃料供給装置によって所定量のガス燃料を供給する構成である。これによって、バイオマス燃料が少なく、ガス化ガス精製後の発熱量が低い場合や、変動が大きい場合に、天然ガス等のガス燃料を添加することができるため、ガスエンジン１９の供給ガス燃料の発熱量を一定にすることができる。
【００３５】
ガスエンジン１９から排出された排ガスは廃熱ボイラ（不図示）に供給され、ボイラ１４で生成された温水を蒸気に変換する。この蒸気は蒸気タービン（不図示）に供給され、タービン駆動に用いられる。蒸気タービンはこの蒸気を利用して発電を行なう。蒸気タービンから排出された蒸気は復水器（不図示）に供給され、冷却されて水に変換される。この水はボイラ１４の給水として帰還される。
【００３６】
（タール除去装置）
タール除去装置１８について図２を用いて説明する。図２において、タール除去装置１８は、タール捕集手段１８１、タール分散手段１８２、冷却器１８３、タール凝集装置１８４を有して構成される。
【００３７】
図３から図５において、タール捕集手段１８１の具体的構成について示す。図３のタール捕集手段１８１は、ステンレスまたは硬質プラスチック製の円筒メッシュで構成されている。タール捕集手段１８１は、円筒の軸中心に回転可能に構成されている。タール捕集手段１８１は、タール分散手段１８２の収納部内部に配置され、この収納部の下部には洗浄水が所定高さの量で収納される。付着したタールを円筒メッシュから除去する場合、収納部下部に洗浄水が水車の給水口から供給される。この給水により水車が回転し、これに連動して円筒メッシュも回転する。洗浄水が所定高さで給水されると、円筒メッシュの下部が洗浄水に浸漬する。この収納部の底壁の下部には超音波振動発生装置が設置され、洗浄水に超音波を印加できる構成である。洗浄水に超音波を印加すると、洗浄水に接しているタールが微粒化し、洗浄水に分散され、スラリー状になる。
【００３８】
タール分散手段１８２の収納部の天井壁には、ガス化ガスの流入口が設けられ、この収納部の一方の側壁には、ガス化ガスの流出出口が設けられる。
【００３９】
図３のタール捕集手段１８１の回転機構は、水車機構であり、円筒メッシュに連結された水車に対し、水車駆動用を兼ねた洗浄水を給水することで、円筒メッシュを回転させる。円筒メッシュを回転させるタイミングとしては、ガス入口とガス出口に設けられた圧力計により測定された圧力の差圧が、所定値以上の場合に、回転させるように構成できる。回転角度は、給水時間によって調整できる。また、所定の回転角度まで回転したか否かを検知するセンサーを設け、この検出結果で回転を停止させるように構成できる。回転の停止は、例えば、ストッパを円筒メッシュの一部に接触させることで構成できる。また、回転駆動する場合に、所定の回転角度しか回転しないように構成することもできる。
【００４０】
一実施形態として、以下の制御フロー（制御手段の機能である）が例示される。タールが円筒メッシュに付着していき、上記差圧が所定値以上になった場合に、洗浄水が給水され、円筒メッシュが回転する。なお、円筒メッシュを回転させたくない場合には停止ストッパをセットしておく。洗浄液が所定量（或いは所定高さ）まで給水されたら、給水が停止する。洗浄液中に、タール付着した円筒メッシュ部分が浸漬している。次いで、超音波振動発生装置によって、洗浄水に超音波が印加される。この超音波印加洗浄水の作用により、円筒メッシュに付着したタールが洗浄水中に微粒化して分散され、スラリー状になる。
【００４１】
超音波印加時間は、例えば、３０秒〜１０分である。設定された印加時間の経過で、超音波振動は自動的に停止する。円筒メッシュの全周にわたりタール除去するため、上記の動作が繰り返される。洗浄水が供給され、円筒メッシュを所定角度に回転させ、上記超音波印加によるタール分散を繰り返す。洗浄水は所定高さまでしか収納部に収納されないように、収納部の側壁にオーバーフローの出口部が設けられている。スラリー状のタールを含む洗浄水は、円筒メッシュ全周のタール除去動作の後に、排水口からタール凝集装置１８４へ排水される。
【００４２】
円筒メッシュの回転制御、差圧測定制御、差圧値の判定制御、洗浄水の給水・排水制御、超音波振動発生装置の制御等は、不図示の制御装置（制御手段に相当する）で制御され、この制御装置は、専用回路、ファームウエア、マイクロコンピュータ、専用コンピュータ等で構成できる。その制御手順は、ソフトウエアプログラムで実現してもよい。また、制御装置の操作のための入力手段および表示手段等も備えている。また、制御装置は、発電システム全体を制御する制御装置と連動されていてもよく、別構成でもよい。
【００４３】
洗浄水中のスラリー状のタールは、タール凝集装置１８４で洗浄水から凝集沈殿させ、固液分離を行なって、洗浄水からタールを回収することができる。そして、タールを回収した洗浄水は、タール分散手段１８２の収納部に戻るように構成される。また、タール凝集装置１８４に、超音波発生装置を設置し、収集した洗浄水に４００〜６００ｋＨｚの超音波振動を印加させて、凝集させ、タール分を沈降分離させて回収することが好ましい。
【００４４】
タール捕集手段１８１でタールが捕集されたガス化ガスは、ガス出口から排出され、ガスエンジン１９に提供される。タール捕集手段１８１により、常温のガス化ガス中に析出したタールを効率よく除去することができ、ガスエンジン１９に対するタールの付着を抑制することができる。
【００４５】
また、タール捕集手段１８１の回転機構の別実施形態として、図４に示す回転機構は、水車と風車による動力を利用する構成である。水車は、円筒メッシュの一方の開口部の外周に設置され、円筒メッシュの回転軸と連結されている。タール分散手段１８２の収納部の天井壁に設置され、給水開口部から、給水し、水車に落下させ、水車を回転させることができる。給水される水は、洗浄水として用いられ、収納部の所定高さ位置にオーバーフローの出口部が形成される。また、風車は、円筒メッシュのその他方の開口部の外周に設置され、円筒メッシュの回転軸と連結されている。風車は、ガス化ガスの風力により回転する。２種類の動力により円筒メッシュを回転させることができるため、円筒メッシュを重く設定することができ、例えば、上記の水車のみの回転動力と比較して、メッシュを細かく設定することができる。
【００４６】
ここでの水車の構成は、上記図３の水車の構成であってもよい。また、風力のみの回転動力構成とすることもできる。
【００４７】
また、図５に示すタール捕集手段１８１は、その近傍に、ガス冷却機能のフィン付きの水管（冷却手段を構成する）が配置される。回転ドラムの両端には、冷却水ヘッダが形成され、ヘッダ円周に、フィン付き水管を複数配置する。フィン付き水管の内側には、円筒メッシュ（タール捕集手段１８１）が配置されている。フィン付き水管に流れる冷却水は、冷却器１８３（冷却手段を構成する）によって冷却され、循環されている。フィン付き水管によりガス化ガスが冷却され、ナフタレン類を主成分とするタールの析出を促し、さらに、ガス中の水分を減湿する。フィン付き水管のフィンにもタールを付着させることができるため、円筒メッシュのみの構成よりも、タール除去効率が高い。タール捕集手段１８１やフィン付き水管の重量に応じて、上記のような水車や風車の動力も利用できるが、モータ等の外部動力により回転ドラムを回転させるように構成することが好ましい。図５の洗浄水の入口は、収納部の側壁に設けられている。
【００４８】
（実施例）
図５に示す円筒メッシュおよびフィン付き水管に付着したタールの除去において、超音波周波数を変動させた場合についての結果を示す。超音波周波数が２０〜５０ｋＨｚの場合、円筒メッシュ等に付着したタールが除去され、洗浄水に分散し、スラリー状になった。目視により、円筒メッシュやフィンにタールが付着していなかったことを確認した。２０ｋＨｚ未満、５０ｋＨｚを超える周波数の場合、円筒メッシュやフィンにタールが付着していた。
【図面の簡単な説明】
【００４９】
【図１】バイオマスガス化ガス発電システムの全体構成を説明するための図
【図２】タール分解装置の構成について説明するための図
【図３】タール分解装置の構成について説明するための図
【図４】タール分解装置の構成について説明するための図
【図５】タール分解装置の構成について説明するための図
【符号の説明】
【００５０】
１１    バイオマスガス化炉
１２    高温集塵器
１３    タール分解装置
１４    ボイラ
１５    バグフィルタ
１６    洗浄塔
１７    ガス精製装置
１８    タール除去装置
１８１  タール捕集手段
１８２  タール分散手段
１８３  冷却器
１８４  タール凝集装置
１９    ガスエンジン
【図１】
2009185154.tif 000003
【図２】
2009185154.tif 000004
【図３】
2009185154.tif 000005
【図４】
2009185154.tif 000006
【図５】
2009185154.tif 000007